(57)【要約】【課題】接続される電力ケーブルとの確実な水密接続を容易にする１つ又は複数の常温収縮部品を含む電気ケーブルコネクタを提供する。【解決手段】電力ケーブルと少なくとも１つの他の電気部品とを接続するように構成されている電気コネクタアセンブリが、外側ジャケットと、インサート部と、外側ジャケットの少なくとも一部及びインサート部の間に位置決めされる絶縁性内側ハウジングとを有するハウジング本体を備える。ハウジング本体は、電力ケーブルを収納する少なくとも１つのボアを形成する。外側ジャケットは、ケーブル収納ジャケット部と本体ジャケット部とを備える。ケーブル収納ジャケット部の少なくとも一部は、ハウジング本体に収納される電力ケーブルと固定するように形成されている。ケーブル収納ジャケット部は、電力ケーブルと確実に固定するように形成されている常温収縮材料を含み、本体ジャケット部は、常温収縮しない材料を含む。【選択図】図１
2015011992.tif 000002
【特許請求の範囲】
【請求項１】
電力ケーブルと少なくとも１つの他の電気部品とを接続するように構成されている電気コネクタアセンブリであって、
外側ジャケットと、インサート部と、前記外側ジャケットの少なくとも一部と前記インサート部との間に位置決めされる絶縁性内側ハウジングとを有するハウジング本体を備え、
前記ハウジング本体は、前記電力ケーブルを収納する少なくとも１つのボアを形成し、
前記外側ジャケットは、
ケーブル収納ジャケット部と、
本体ジャケット部と、
を備え、
前記ケーブル収納ジャケット部の少なくとも一部は、前記ハウジング本体に収納される前記電力ケーブルを固定するように構成されており、
前記ケーブル収納ジャケット部は、前記電力ケーブルを確実に固定するように形成されている常温収縮材料を含み、
前記本体ジャケット部は、常温収縮しない材料を含む、電気コネクタアセンブリ。
【請求項２】
前記外側ジャケットの前記ケーブル収納ジャケット部は、該ケーブル収納ジャケット部と前記本体ジャケット部との間の接続部において前記本体ジャケット部の少なくとも一部と嵌合するように構成されている取付け部を備える、請求項１に記載の電気コネクタ。
【請求項３】
前記外側ジャケットの前記ケーブル収納ジャケット部は、前記電力ケーブルの前記外径よりも小さい内径を有する固定部を備える、請求項１に記載の電気コネクタ。
【請求項４】
前記外側ジャケットの前記ケーブル収納ジャケット部は、前記固定部の前記内径よりも大きい内径を有する入口部を備える、請求項３に記載の電気コネクタ。
【請求項５】
前記外側ジャケットの前記ケーブル収納ジャケット部は、取外し可能な拡張コアを内部に収納するように形成されており、
前記取外し可能な拡張コアは、前記固定部の前記内径よりも大きい外径を有する筒状部材を備え、前記電力ケーブルを中に通すように形成されている、請求項３に記載の電気コネクタ。
【請求項６】
前記取外し可能な拡張コアの前記筒状部材は、繰り出して前記ケーブル収納ジャケット部から取り外すように螺旋パターンのミシン目又は刻み目が付けられている、請求項５に記載の電気コネクタ。
【請求項７】
前記取外し可能な拡張コアは、該コアを取り出すことを容易にするように該コアの先端に接続されているプルタブを有する、請求項５に記載の電気コネクタ。
【請求項８】
前記絶縁性内側ハウジング及び前記インサート部はそれぞれ、常温収縮可能な材料を含む、請求項１に記載の電気コネクタ。
【請求項９】
前記ケーブル収納ジャケット部は、常温収縮可能なエチレン−プロピレン−ジエンモノマー（ＥＰＤＭ）材料を含み、前記本体ジャケット部は、常温収縮しないＥＰＤＭ材料を含む、請求項１に記載の電気コネクタ。
【請求項１０】
２００ａｍｐコネクタ又は６００ａｍｐコネクタを備える、請求項１に記載の電気コネクタ。
【発明の詳細な説明】
【技術分野】
【０００１】
本発明は、負荷遮断高圧エルボコネクタ及び完全遮断高圧エルボコネクタ等の電気ケーブルコネクタに関する。より詳細には、本明細書に記載される態様は、接続される電力ケーブルとの確実な水密接続を容易にする１つ又は複数の常温収縮部品を含む電気ケーブルコネクタに関する。
【背景技術】
【０００２】
１５ｋＶ及び２５ｋＶスイッチギヤとともに使用される負荷遮断コネクタは一般的に、電力ケーブルを収納するようになっている端部と、負荷遮断ブッシングインサート又は別のスイッチギヤ装置を収納するようになっている別の端部とを有する電力ケーブルエルボコネクタを含む。ブッシングインサートを収納するようになっている端部は一般的に、ブッシングインサートに成形加工されたフランジとの締り嵌めをもたらすエルボカフを有する。
【発明の概要】
【課題を解決するための手段】
【０００３】
幾つかの実施態様では、エルボコネクタは、ブッシングインサートとのエルボコネクタの接続を容易にするとともに、サージアレスター、タッププラグ等のような他の装置によって電力ケーブルへの導電性接続をもたらす、ブッシングインサート開口部の反対側に形成された第２の開口部を有することができる。
【図面の簡単な説明】
【０００４】
【図１】本明細書に記載されている実施態様に従った方法で構成されている電力ケーブルエルボコネクタを示す概略断面図である。
【図２】製造及び取付けの種々の段階のうちの一段階における、図１のエルボコネクタの側面断面図である。
【図３】製造及び取付けの種々の段階のうちの一段階における、図１のエルボコネクタの側面断面図である。
【図４】製造及び取付けの種々の段階のうちの一段階における、図１のエルボコネクタの側面断面図である。
【図５】製造及び取付けの種々の段階のうちの一段階における、図１のエルボコネクタの側面断面図である。
【図６】製造及び取付けの種々の段階のうちの一段階における、図１のエルボコネクタの側面断面図である。
【図７】製造及び取付けの種々の段階のうちの一段階における、図１のエルボコネクタの側面断面図である。
【図８】本明細書に記載されている実施態様に従った方法で構成されている電力ケーブルエルボコネクタの別の実施形態を示す概略断面図である。
【図９】製造及び取付けの種々の段階のうちの一段階における、図８のエルボコネクタの側面断面図である。
【図１０】製造及び取付けの種々の段階のうちの一段階における、図８のエルボコネクタの側面断面図である。
【図１１】製造及び取付けの種々の段階のうちの一段階における、図８のエルボコネクタの側面断面図である。
【図１２】製造及び取付けの種々の段階のうちの一段階における、図８のエルボコネクタの側面断面図である。
【発明を実施するための形態】
【０００５】
以下の詳細な記載は添付の図面を参照する。種々の図面中の同じ参照符号は、同じ又は同様の部材を特定することができる。
【０００６】
本明細書に開示されている１つ又は複数の実施形態は、１つ又は複数の常温収縮部品を有するエルボコネクタ又はＴ形コネクタ等の電力ケーブルコネクタに関する。より具体的には、コネクタは、電力ケーブルを収納するとともにコネクタに固定するように形成されているハウジングを含むことができる。
【０００７】
本明細書に記載されている実施形態に従って、電力ケーブル収納本体は、常温収縮材料から形成される外側ジャケットを有する。対照的に、エルボ本体の外側ジャケットは、従来の常温収縮しない材料から形成される。製造時、電力ケーブル収納本体はエルボ本体に結合され、インサートが、電力ケーブル収納本体の外側ジャケットとエルボ本体の外側ジャケットとを結合させたものの内部に位置決めされ、常温収縮絶縁体が、それらの間に射出されてコネクタを作製する。
【０００８】
コネクタの現場配布前に、取外し可能な筒状の拡張コアが電力ケーブル収納本体に挿通される。このコアは、電力ケーブル収納本体を通って（例えば、絶縁体及びジャケットを通って）軸方向の開口部を拡張させて、電力ケーブルの準備された端部をコネクタの中に挿入するのに十分な空間をもたらすように構成されている。本明細書に記載されている実施形態に従って、コアのサイズは、多数の異なるサイズを有する電力ケーブルを収納するのに十分である。
【０００９】
コネクタの取付け時、準備された電力ケーブルをコアに挿通してコネクタの中に挿入する。電力ケーブルがコネクタの中に完全に挿入されると、コアが取り外され、したがって、電力ケーブル収納本体が内側に圧潰して電力ケーブルをコネクタ内に固定することが可能になる。次に、エルボ本体を介してコネクタを機器ブッシング又は同様の装置に取り付けることができる。
【００１０】
異なる常温収縮性能レベルを有する２つの異なる部分を有する、本明細書に記載されているケーブルコネクタを形成することによって、コネクタは、望ましい性能を達成すると同時にコストのバランスをとることができる。
【００１１】
図１は、本明細書に記載されている実施態様に従った方法で構成されている電力ケーブルエルボコネクタ１００を示す概略断面図である。図２〜図７は、製造及び取付け時の種々の段階におけるエルボコネクタ１００の側面断面図である。図１に示すように、電力ケーブルエルボコネクタ１００は、ハウジング本体１０２を有する２００ａｍｐエルボコネクタを含むことができ、また、電力ケーブル１０６を内部に収納するケーブル収納端部１０４と、完全遮断変形ブッシング若しくは負荷遮断変形ブッシング１１０のような機器ブッシング又は他の高圧端子若しくは中圧端子を収納する開口部を有するコネクタ端部１０８とを有する。
【００１２】
図示のように、ケーブル収納端部１０４は、コネクタ１００の主軸に沿って延びることができ、中に延在するボア１１２を有することができる。幾つかの実施態様では、コネクタ端部１０８は、ケーブル収納端部１０４の軸方向から実質的に垂直に突出することができる。コネクタ端部１０８は、機器ブッシング等を収納する、中に形成されたボア１１４を有する。図１に示すようなブッシングスタッド１１８を介す等、電力ケーブル１０６がブッシング１１０に導電接続することを可能にする接触エリア１１６を、ボア１１２とボア１１４との合流点において形成することができる。
【００１３】
電力ケーブルエルボコネクタ１００は、例えば、ＥＰＤＭ（エチレン−プロピレン−ジエンモノマー）と一般的に称される導電性（又は半導電性）過酸化物硬化型合成ゴムから形成される導電性外側ジャケット１２０を有することができる。本明細書に記載されている実施形態に従って、外側ジャケット１２０は、２つの異なる材料から、２つの異なる部分をなして形成することができる。
【００１４】
特に、図２に示すように、外側ジャケット１２０は、ケーブル収納ジャケット部２０２及び本体ジャケット部２０４を有することができる。ケーブル収納ジャケット部２０２は、常温収縮可能なＥＰＤＭ又は同様の導電性高分子材料から形成することができる。逆に、本明細書に記載されているように、本体ジャケット部２０４は、常温収縮しない材料を含むことができる。
【００１５】
本明細書において使用されている場合、「常温収縮可能な」という用語は、有意な弾性復元力を有する、ゴム又はプラスチック等の伸縮性材料及び弾性材料を指す。すなわち、材料は、伸張又は拡張した場合、伸張又は拡張の要因がなくなると、その元のサイズ近くまで復元する。幾つかの実施形態では、同じ又は類似の弾性特性を有する、シリコーン等の非ＥＰＤＭ材料を用いることができる。
【００１６】
図２に示すように、ケーブル収納ジャケット部２０２は、本体ジャケット部２０４内の対応する開口部２０８と嵌合する環状取付け部２０６を有することができる。例えば、環状取付け部２０６の内径は、本体ジャケット部内の開口部２０８の外径に実質的に等しいか又はその外径よりも僅かに小さいサイズとすることができる。幾つかの実施態様では、環状取付け部２０６は、コネクタ１００の製造時に、本体ジャケット部２０４との最小限の重なり「Ｄ」をもたらすのに適した軸方向長さを有することができる。
【００１７】
ケーブル収納ジャケット部２０２はまた、中央固定部２１０及びフレア状の入口部２１２を有することができる。図２に示すように、中央固定部２１０は、取付け領域２０６から軸方向後方に径方向内方にテーパーが付いている。中央固定部２１０は、その最も幅狭の部分において、本体ジャケット部２０４内の開口部２０８の内径よりも小さい内径を有する。特に、本明細書に記載されている実施形態に従って、固定部２１０の最も幅狭の内径は、ともに用いる最小ゲージの電力ケーブルの外径よりも小さい。したがって、以下で記載するように、取付け中、固定部２１０は、電力ケーブル１０６の外面上に圧潰して、ケーブルをコネクタ１００に水密／気密に固定する。
【００１８】
フレア状の入口部２１２は、中央固定部２１０から軸方向後方に径方向外方にテーパーが付いている。したがって、フレア状の入口部２１２の内径は、中央固定部２１０の内径よりも大きい。そのような構成により、製造の最終段階の間に、取外し可能なコア（例えば、図５に示すとともに以下で記載するコア５０２）をより容易に強制的にケーブル収納ジャケット部に挿入することが可能になる。
【００１９】
図１に戻ると、図示のように、電力ケーブルエルボコネクタ１００は、外側ジャケット１２０内に、電力ケーブル１０６とブッシング１１０との接続部分を囲む導電性インサート又は半導電性インサート１２２と、外側ジャケット１２０とインサート１２２との間に形成されている絶縁性内側ハウジング１２４とを有することができる。内側ハウジング１２４は、ボア１１２／１１４の少なくとも一部を設けるように更に成形加工又は形成され、インサート１２２がボア１１２／１１４の残りの部分を形成することができる。
【００２０】
幾つかの実施態様では、インサート１２２及び内側ハウジング１２４のそれぞれは、常温収縮可能な材料から作製される。例えば、インサート１２２及び内側ハウジング１２４のそれぞれは、異なるレベルのカーボンブラックを有するＥＰＤＭの組成物から形成することができ、導電性インサート１２２は、絶縁性内側ハウジング１２４のカーボンブラックのレベルよりも高いレベルのカーボンブラックを有する。他の実施形態では、インサート１２２は、ケーブル収納ジャケット部２０２に用いられるとともに上述した常温収縮可能なＥＰＤＭ材料と同様の常温収縮可能なＥＰＤＭ材料から形成することができ、絶縁性内側ハウジング１２４は、弾性（例えば、高度の弾性復元）ポリマー、ゴム又はエポキシ材料から形成される。
【００２１】
図３に示すように、幾つかの実施形態では、インサート１２２の後方のケーブル収納部にコア収納部１２３を設けることができる。図５に関して以下で記載するように、製造時、コア収納部１２３は、コネクタ１００を取付ける際に支持コアの先端を収納して、電力ケーブル１０６がインサート１２２内により容易に収納されることを可能にするように形成することができる。
【００２２】
本明細書に記載されている実施形態に従って、電力ケーブルエルボコネクタ１００の製造時、図３に示すように、ケーブル収納ジャケット部２０２は本体ジャケット部２０４に位置決めされ、インサート１２２は懸架される（すなわち、本体ジャケット部２０４に対して離隔関係に維持される）。幾つかの実施形態では、更なる成形加工部材を外側ジャケット１２０内に一時的に設けて、絶縁性内側ハウジング１２４の射出成形及びコネクタ１００におけるボア１１２及び１１４の形成を容易にすることができる。
【００２３】
図４に示すように、絶縁性内側ハウジング１２４は、外側ジャケット１２０と導電性インサート１２２との間に常温収縮可能な絶縁材料を射出することによって成形することができる。図４に示すように、例示的な一実施形態では、絶縁性内側ハウジング１２４の少なくとも一部は、ケーブル収納ジャケット部２０２及び本体ジャケット部２０４の双方の内部に形成され、それによって、ケーブル収納ジャケット部２０２を本体ジャケット部２０４に恒久的に固定する。
【００２４】
図４に示すように、絶縁性内側ハウジング１２４の射出成形又は形成により、ボア１１４と、ブッシング１１０との境界面とを設けることもできる。例えば、ブッシング１１０を収納するようになっているボア１１４の端部は、ブッシング１１０に成形加工されたフランジとの締り嵌めを与えるエルボカフ１１５を有するように形成することができる。
【００２５】
図１に戻ると、１つの例示的な実施態様では、電力ケーブルエルボコネクタ１００は、コネクタ１００における電圧を検知する電圧検出テストポイントアセンブリ１２６を有することができる。電圧検出テストポイントアセンブリ１２６は、外部電圧検出装置がコネクタ１００に関連する電圧を検出及び／又は測定することを可能にするように構成することができる。
【００２６】
例えば、図１に示すように、電圧検出テストポイントアセンブリ１２６は、絶縁性内側ハウジング１２４の一部に埋め込まれているとともに外側シールド１２０内の（例えば、本体ジャケット部２０４における）開口部を通って延びるテストポイント端子１２８を含むことができる。１つの例示的な実施形態では、テストポイント端子１２８は、導電性金属又は他の導電性材料から形成することができる。このようにして、テストポイント端子１２８は、コネクタ１００のボア１１２内の導電体部材（例えば、電力ケーブル１０６）に容量結合することができる。
【００２７】
テストポイントキャップ１３０が、テストポイント端子１２８及び外側シールド１２０の一部とシール係合することができる。１つの実施態様では、テストポイントキャップ１３０は、キャップ１３０がテストポイント端子１２８に取り付けられたときにコネクタ１００の表面全体にわたって電気的導通を与えるようにＥＰＤＭ等の半導電性材料から形成することができる。テストポイント端子１２８がアクセスされていない場合、テストポイントキャップ１３０はテストポイントアセンブリ１２６に取り付けることができる。
【００２８】
本明細書に記載されている実施形態に従って、電力ケーブルエルボコネクタ１００のハウジング本体１０２はまた、ホットスティック又は架線作業員用工具（lineman's tool）等の適した工具によって、エルボコネクタ１００の取出しを容易にする引き輪又はプルタブ１３２を有することができる。図１に示すように、引き輪１３２は、外側ジャケット１２０（例えば、本体ジャケット部２０２）の、反対側のボア１１４と実質的に一直線の領域に組み込むことができる。
【００２９】
図５に示すように、電力ケーブルエルボコネクタ１００の製造の最終段階の間（すなわち、現場取付作業員に提供される前）、コネクタ１００への電力ケーブル１０６の現場挿入を容易にする取外し可能なコア５０２がコネクタ１００に挿入される。上述したように、ケーブル収納ジャケット部２０２の中央固定部２１０の内径は、電力ケーブル１０６の外径よりも小さいため、取外し可能なコア５０２を用いてボア１１２を拡張させてボア１１２への電力ケーブル１０６の挿入を容易にする。
【００３０】
図５に示すように、取外し可能なコア５０２の１つの実施態様は、筒形状に巻き付けられたナイロンコード若しくはポリプロピレンコード、又は、均一な内径及び外径を有する、ミシン目又は刻み目が付けられたナイロンチューブ／ポリプロピレンチューブを含み、それによって、複数の隣接し合う又は重なり合うコイル５０４を形成する。これらの隣接し合うコイル５０４は、支持コア５０２の筒形状を維持するように成形加工又はともに結合される。隣接し合うコイル５０４は、ともに結合されてからコネクタ１００に挿入されることが好ましいが、以下で記載するように、コネクタ１００からコア５０２を切り離す、例えばミシン目又は刻み目を付けて後で取り外すことを容易にすることができる。しかしながら、コア５０２は、形成された状態又は結合された状態では、図５に示すように、筒状のボア１１２を径方向に拡張した状態に保持するのに十分な構造上の剛性が与えられている。
【００３１】
コネクタ１００の製造時、コア５０２は、ボア１１２に強制的に付勢又は挿入されて、コネクタ１００の部分を拡張させて電力ケーブル１０６を収納することを容易にすることができる。より具体的には、コア５０２の先端部５０６が、ケーブル収納ジャケット部２０２のフレア状の入口部２１２と最初に係合することができる。コア５０２は次に、ボア１１２に付勢され、ケーブル収納ジャケット部２０２、絶縁性内側ハウジング１２４及びインサート１２２に入ることができる。より具体的には、図５に示すように、コア５０２は、インサート１２２のコア収納部１２３と嵌合するように構成することができる。
【００３２】
コア５０２の取外しを容易にするために、先端部５０６には、コア５０２の先頭コイル５０４に結合されるプルタブ５０８を設けることができる。コア５０２を取り外すことが望まれる場合、取付作業者はタブ５０８を引くことで、コイル５０４を、コア５０２全体が繰り出されるまで繰り出すことができ、コネクタ１００から取り外すことができる。以下で記載されるように、コア５０２がコネクタ１００から取り外されると、絶縁性内側ハウジング１２４、インサート１２２及びケーブル収納ジャケット部２０２の常温収縮性により、コネクタ１００のこれらの部分が１つのケーブル１０６を圧潰して、ケーブル１０６をコネクタ１００に固定する。
【００３３】
他の実施態様では、コア５０２は、その強度を高める繊維ガラス強化プラスチック、ボア１１２からの取外しを容易にするために互いと別個に構成されている多部品中実（例えば非螺旋）コア等の、他の形態を有することができる。
【００３４】
図６及び図７に示すように、次に、電力ケーブル１０６の準備された端部とブッシングスタッド１１８とをそれぞれコア５０２／ボア１１２及びボア１１４内に収納することができる。例えば、電力ケーブル１０６の前端部を、電力ケーブル１０６を導体スペードアセンブリ６０２に接続することによって準備することができる。より具体的には、導体スペードアセンブリ６０２は、後方シール部６０４と、圧接コネクタ部６０６と、スペード部６０８とを有することができる。
【００３５】
後方シール部６０４は、電力ケーブル１０６の一部を囲む絶縁材料を含むことができる。導体スペードアセンブリ６０２がボア１１２内に位置決めされ、コア５０２が取り外された後、ケーブル収納ジャケット部２０２の中央固定部２１０は、後方シール部６０４を締めてコネクタ１００のボア１１２をシールすることができる。
【００３６】
圧接コネクタ部６０６は、電力ケーブル１０６の中央導体を内部に収納するように構成されている実質的に円筒形の導電性アセンブリを含むことができる。中央導体が挿入されると、圧接コネクタ部６０６を中央導体に圧接するか又は別様に固定することができる。
【００３７】
スペード部６０８は、圧接コネクタ部６０６に導電接続するか又は圧接コネクタ部６０６と一体となっているものとすることができ、圧接コネクタ部６０６から軸方向に延びることができる。例えば、幾つかの実施態様では、スペード部６０８は、圧接コネクタ部６０６と一体形成することができ、鋼、真鍮、アルミニウム等のような導電性金属から作製することができる。図６に示すように、スペード部６０８は、中に垂直に延在しブッシングスタッド１１８の端部と係合するボア６１０を有する。幾つかの実施形態では、ボア６１０は雌ねじを有し、ブッシングスタッド１１８の端部は、対応する雄ねじを有する。
【００３８】
取付け時、電力ケーブル１０６は、コア５０２に挿通され、ボア１１２に挿入され、図７に示すように、スペード部６０８は、コネクタ１００の接触エリア１１６の中を延びる。次に、ブッシングスタッド１１８は、ボア１１４内に収納され、スペード部６０８と係合してブッシングスタッド１１８を電力ケーブル１０６に導電接続することができる。
【００３９】
電力ケーブル１０６がブッシングスタッド１１８又はブッシング１１０に確実に接続すると、コア５０２を上述のようにして（例えば、プルタブ５０８を引いてコア５０２のコイル５０４を解くことによって）取り外すことができる。コア５０２が取り外されると、コネクタ１００の、コア５０２によって拡張していた常温収縮部分が圧潰して（例えば、その拡張前状態に戻る、及び／又はよりいっそう小さいサイズ／形状に圧潰する）、電力ケーブル１０６をコネクタ１００内に気密及び水密に固定することが可能になる。例えば、中央固定部２１０、絶縁性内側ハウジング１２４の後方部、及びインサート１２２のコア収納部１２３は全て、コア５０２が取り外されると、電力ケーブル１０６の後方シール部６０４（例えば、外側絶縁体）上に圧潰するように構成することができる。
【００４０】
対照的に、本体ジャケット部２０４は常温収縮可能な材料から形成されていないため、本体ジャケット部２０４の剛性の増加及び製造コストの低減を実現することができ、その結果、ブッシング１１０とボア１１４内のカフ１１５との間の締り嵌め（interference friction fit）にかけられるフープ力がより高くなる。
【００４１】
図８は、本明細書に記載されている実施態様に従った方法で構成されている電力ケーブルエルボコネクタ８００を示す概略断面図である。図９〜図１２は、製造及び取付けの種々の段階におけるエルボコネクタ８００の側面断面図である。図８に示すように、電力ケーブルエルボコネクタ８００は、ハウジング本体８０２を有する６００ａｍｐエルボコネクタを含むことができ、また、電力ケーブル８０６を内部に収納するケーブル収納端部８０４と、完全遮断変形ブッシング若しくは負荷遮断変形ブッシングのような機器ブッシング、絶縁プラグ、電圧アレスター又は他の高圧機器若しくは中圧機器を収納する対向するボア８０８／８１０を有するコネクタＴ字状端部８０７とを有する。
【００４２】
図示のように、ケーブル収納端部８０４は、コネクタ８００の主軸に沿って延びることができ、中に延在するボア８１２を有することができる。幾つかの実施態様では、コネクタＴ字状端部８０７の開口部８０８／８１０は、ケーブル収納端部８０４の軸方向から実質的に垂直に逆方向に突出する。電力ケーブル８０６が接続機器（例えば、Ｔ字状端部８０７に接続されている）と導電接続することを可能にする接触部８１６を、ボア８１２、８０８及び８１０の合流点において形成することができる。
【００４３】
電力ケーブルエルボコネクタ８００は、例えば、導電性ＥＰＤＭから形成される導電性外側ジャケット８２０を有することができる。本明細書に記載されている実施形態に従って、外側ジャケット８２０は、２つの異なる材料から、２つの異なる部分をなして形成されることができる。
【００４４】
特に、図９に示すように、外側ジャケット８２０は、ケーブル収納ジャケット部９０２及び本体ジャケット部９０４を有することができる。ケーブル収納ジャケット部９０２は、常温収縮可能なＥＰＤＭ又は同様の導電性高分子材料から形成することができる。逆に、本明細書に記載されているように、本体ジャケット部９０４は、常温収縮しない材料を含むことができる。
【００４５】
図９に示すように、ケーブル収納ジャケット部９０２は、本体ジャケット部９０４内の対応する開口部９０８と嵌合する環状取付け部９０６を有することができる。例えば、環状取付け部９０６の内径は、本体ジャケット部内の開口部９０８の外径に実質的に等しいか又はその外径よりも僅かに小さいサイズとすることができる。幾つかの実施態様では、環状取付け部９０６は、コネクタ８００の製造時に、本体ジャケット部９０４との最小限の重なりをもたらすのに適した軸方向長さを有することができる。
【００４６】
ケーブル収納ジャケット部９０２はまた、中央係合部９１０及び入口部９１２を有することができる。図９に示すように、中央係合部９１０は、取付け部９０６から軸方向後方に径方向内方にテーパーが付いている。中央係合部９１０は、その最も幅狭の部分において、本体ジャケット部９０４内の開口部９０８の内径よりも小さい内径を有する。特に、本明細書に記載されている実施形態に従って、係合部９１０の最も幅狭の内径は、ともに用いる最小ゲージの電力ケーブルの外径よりも小さい。したがって、以下で記載するように、取付け中、係合部９１０は、電力ケーブル８０６の外面上に圧潰して、ケーブルをコネクタ８００に水密／気密に固定する。
【００４７】
図９に示すように、入口部９１２は、中央係合部９１０から軸方向後方に径方向外方にテーパーが付いている内面を有する。したがって、入口部９１２の後方端の内径は、中央係合部９１０の内径よりも大きい。そのような構成により、製造の最終段階の間、取外し可能なコア（例えば、図１１に示すとともに以下で記載するコア１１０２）をより容易に強制的にケーブル収納ジャケット部９０２に挿入することが可能になる。
【００４８】
図８に戻ると、図示のように、電力ケーブルエルボコネクタ８００は、外側ジャケット８２０内に、接触エリアを囲む導電性インサート又は半導電性インサート８２２と、外側ジャケット８２０と導電性インサート８２２との間に形成されている絶縁性内側ハウジング８２４とを有することができる。図１０に示すように、内側ハウジング８２４は、ボア８０８、８１０及び８１２の少なくとも一部を設けるように更に成形加工又は形成することができ、インサート８２２がボア８０８〜８１２の残りの部分を形成する。
【００４９】
幾つかの実施態様では、インサート８２２及び内側ハウジング８２４のそれぞれは、常温収縮可能な材料から作製される。例えば、インサート８２２及び内側ハウジング８２４のそれぞれは、異なるレベルのカーボンブラックを有するＥＰＤＭの組成物から形成することができ、導電性インサート８２２は、絶縁性内側ハウジング８２４のカーボンブラックのレベルよりも高いレベルのカーボンブラックを有する。他の実施形態では、インサート８２２は、ケーブル収納ジャケット部９０２に用いられるとともに上述した常温収縮可能なＥＰＤＭ材料と同様の常温収縮可能なＥＰＤＭ材料から形成することができ、絶縁性内側ハウジング８２４は、弾性（例えば、高度の弾性復元）ポリマー、ゴム又はエポキシ材料から形成される。
【００５０】
図１０に示すように、幾つかの実施形態では、インサート８２２の後方のケーブル収納部にコア収納部８２３を設けることができる。図１１に関して以下で記載するように、製造時、コア収納部８２３は、コネクタ１００を取付ける際に支持コア１１０２の先端部を収納して、電力ケーブル８０６がインサート８２２内により容易に収納されることを可能にするように構成することができる。
【００５１】
本明細書に記載されている実施形態に従って、電力ケーブルエルボコネクタ８００の製造時、図１０に示すように、ケーブル収納ジャケット部９０２は本体ジャケット部９０４に位置決めされ、インサート８２２は懸架される（すなわち、本体ジャケット部９０４に対して離隔関係に維持される）。幾つかの実施形態では、更なる成形加工部材を外側ジャケット８２０内に一時的に設けて、絶縁性内側ハウジング８２４の射出成形及びコネクタ８００におけるボア８０８〜８１２の形成を容易にすることができる。
【００５２】
幾つかの実施形態では、絶縁性内側ハウジング８２４は、外側ジャケット８２０と導電性インサート８２２との間に常温収縮可能な絶縁材料を射出することによって成形することができる。図１０に示すように、例示的な一実施形態では、絶縁性内側ハウジング８２４の少なくとも一部は、ケーブル収納ジャケット部９０２及び本体ジャケット部９０４の双方の内部に形成され、それによって、ケーブル収納ジャケット部９０２を本体ジャケット部９０４に恒久的に固定する。
【００５３】
図１０に示すように、絶縁性内側ハウジング８２４の射出成形又は形成により、Ｔ字状端部８０７の開口部８０８及び８１０のそれぞれの端部における接続部を設けることもできる。例えば、内側ハウジング８２４の開口部８０８及び８１０をそれぞれエルボカフ８１３及び８１５を有するように形成することで、接続部品（例えば、ブッシング、プラグ等）の成形加工フランジとの締り嵌めを与えることができる。
【００５４】
図１１に示すように、電力ケーブルエルボコネクタ８００の製造の最終段階の間（すなわち、現場取付作業員に提供される前）、コネクタ８００への電力ケーブル８０６の現場挿入を容易にする取外し可能なコア１１０２がコネクタ８００に挿入される。上述したように、ケーブル収納ジャケット部９０２の中央固定部９１０の内径は、電力ケーブル８０６の外径よりも小さいため、取外し可能なコア１１０２を用いてボア８１２を拡張させてボア８１２への電力ケーブル８０６の挿入を容易にする。
【００５５】
図１１に示すように、上述したコア５０２と同様に、取外し可能なコア１１０２は、複数の隣接し合うコイル１１０４を有するように螺旋状になった、ミシン目若しくは刻み目が付けられたナイロンチューブ又はポリプロピレンチューブを含むことができる。コネクタ８００の製造時、コア１１０２は、ボア８１２に強制的に付勢されて、コネクタ８００の部分を拡張させて電力ケーブル８０６を収納することを容易にする。より具体的には、コア１１０２の先端部１１０６が、ケーブル収納ジャケット部９０２の入口部９１２と最初に係合することができる。コア１１０２は次に、ボア８１２に付勢され、ケーブル収納ジャケット部９０２、絶縁性内側ハウジング８２４及びインサート８２２に入ることができる。より具体的には、図１１に示すように、コア１１０２は、インサート８２２のコア収納部８２３と嵌合するように構成することができる。
【００５６】
コア１１０２の取外しを容易にするために、先端１１０６には、コア１１０２の先頭コイル１１０４に連結されるプルタブ１１０８を設けることができる。コア１１０２を取り外すことが望まれる場合、取付作業者はタブ１１０８を引くことで、コイル１１０４を、コア１１０２全体が繰り出されるまで繰り出すことができ、コネクタ８００から取り外すことができる。
【００５７】
他の実施態様では、コア１１０２は、その強度を高める繊維ガラス強化プラスチック、ボア８１２からの取外しを容易にするために互いと別個に構成されている多部品中実（例えば非螺旋）コア等の他の形態を有することができる。
【００５８】
図１２に示すように、電力ケーブル８０６の準備された端部をコア１１０２／ボア８１２内に収納することができる。例えば、電力ケーブル８０６を図６及び図７に関して上述した導体スペードアセンブリ６０２と同様の導体スペードアセンブリ１２０２に接続することによって電力ケーブル８０６の前端部を準備することができるが、電力ケーブルの端部の他の形態を、本明細書に記載されている実施形態に従って可能とすることができる。取付け時、電力ケーブル８０６は、コア１１０２に挿通され、ボア８１２に挿入される。
【００５９】
電力ケーブル８０６が、コネクタ８００に完全に挿入され、及び／又は、ブッシング等のような１つ又は複数の他の装置にボア８１０又は８１２を介して接続されると、コア１１０２を上述のようにして（例えば、プルタブ１１０８を引いてコイル１１０４を繰り出すことによって）取り外すことができる。コア１１０２が取り外されると、コネクタ８００の、コア１１０２によって拡張していた常温収縮部分が圧潰して（例えば、その拡張前状態に戻る）、電力ケーブル８０６をコネクタ８００に気密及び水密に係合させることが可能になる。例えば、中央固定部９１０、絶縁性内側ハウジング８２４の後方部、及びインサート８２２のコア収納部８２３は全て、コア１１０２が取り外されると、電力ケーブル８０６の或る部分（例えば、外側絶縁体）上に圧潰するように構成することができる。
【００６０】
対照的に、本体ジャケット部９０４は常温収縮可能な材料から形成されていないため、本体ジャケット部９０４の剛性の増加及び製造コストの低減を実現することができ、その結果、コネクタ８００とＴ字状端部８０７に連結されている機器との間の締り嵌めがより頑強になる。
【００６１】
例示的な実施態様のこれまでの記載は、例示及び説明を提示するが、網羅的であること、又は、本明細書に記載されている実施形態を、開示されている詳細な形態に限定することは意図していない。上記の教示に鑑みて変更形態及び変形形態が可能であるか、又は、実施形態を実施することから変更形態及び変形形態を得ることができる。例えば、例示的な２００ａｍｐコネクタ及び６００ａｍｐコネクタを上述してきたが、本明細書に記載されている実施態様は、１５ｋＶ機器、２５ｋＶ機器又は３５ｋＶ機器を含む、高圧スイッチギヤ機器等の他の装置とともに用いることもできる。
【００６２】
本発明をこれまで詳細に記載してきたが、本発明の主旨から逸脱することなく、本発明を変更することができることが当業者には明らかになることを明確に理解されたい。本発明の主旨及び範囲から逸脱することなく、本発明に対して形態、設計又は構成の種々の変更を行うことができる。したがって、上述の記載は、限定ではなく例示とみなされるべきであり、本発明の真の範囲は、添付の特許請求の範囲において規定される範囲である。
【００６３】
本出願の記載において用いられている要素、動作又は指示は、本発明にとって決定的であるか又は不可欠であると明記されていない限り、そのように解釈されるべきではない。また、本明細書において用いられている場合、数を明記しない語（the articlle "a"）は、１つ又は複数の物品を含むことを意図する。さらに、「〜に基づく」という言い回しは、特に明記されていない限り、「〜に少なくとも部分的に基づく」を意味することを意図する。
【図１】
2015011992.tif 000003
【図２】
2015011992.tif 000004
【図３】
2015011992.tif 000005
【図４】
2015011992.tif 000006
【図５】
2015011992.tif 000007
【図６】
2015011992.tif 000008
【図７】
2015011992.tif 000009
【図８】
2015011992.tif 000010
【図９】
2015011992.tif 000011
【図１０】
2015011992.tif 000012
【図１１】
2015011992.tif 000013
【図１２】
2015011992.tif 000014